(57)【要約】      （修正有）【課題】インターホン親機の構成各部に電源供給される直流電源の電圧レベルについての異常検出及びその後の動作を制御することにより、電源供給時の安全性を確保する。【解決手段】インターホン親機２ａの構成各部に電源供給するにあたり、商用電源を整流して直流電源を生成する親機電源回路２４ａからの出力を親機用に定められた所定の電圧レベルに可変する親機ＤＣ−ＤＣコンバータ２５ａに異常（故障）が発生したとき、親機ＤＣ−ＤＣコンバータからの出力の発振デューティを親機デューティ検出回路２６ａで検出させ、その発振デューティに対応した電圧レベルの出力電圧を親機制御回路２９ａに監視させることにより、親機制御回路は、自回路への出力電圧の電圧レベルをもとに親機ＤＣ−ＤＣコンバータの異常（故障）を確認して電源供給切換回路２７ａを制御し、親機電源回路から親機ＤＣ−ＤＣコンバータへの電源供給動作をオン状態からオフ状態に切換える。【選択図】図２
2015162773.tif 000002
【特許請求の範囲】
【請求項１】
住戸外に設置され来訪者が住戸内の在室者を呼出して通話を行うインターホン子機と、前記住戸内に設置され伝送路を経由して接続される前記インターホン子機からの呼出しに前記在室者が応答して前記来訪者との間で通話を行うインターホン親機とを有するインターホンシステムであって、
前記インターホン親機は、商用電源を整流して直流電源を生成する親機電源回路と、前記親機電源回路で生成される前記直流電源の電圧レベルを親機用に予め定められた所定の電圧レベルに可変する親機ＤＣ−ＤＣコンバータと、前記親機ＤＣ−ＤＣコンバータからの出力の発振デューティを検出する親機デューティ検出回路と、前記親機電源回路から前記親機ＤＣ−ＤＣコンバータへの電源供給動作をオン／オフ切換える電源供給切換回路と、前記電源供給切換回路を制御する親機制御回路とを備え、
前記親機制御回路は、前記親機デューティ検出回路で検出される前記発振デューティに対応する当該親機デューティ検出回路からの出力電圧の電圧レベルを監視し、当該電圧レベルが０Ｖになったとき、前記電源供給切換回路を制御して前記親機電源回路から前記親機ＤＣ−ＤＣコンバータへの電源供給動作をオン状態からオフ状態に切換えることを特徴とするインターホンシステム。
【請求項２】
住戸外に設置され来訪者が住戸内の在室者を呼出して通話を行うインターホン子機と、前記住戸内に設置され伝送路を経由して接続される前記インターホン子機からの呼出しに前記在室者が応答して前記来訪者との間で通話を行うインターホン親機とを有するインターホンシステムであって、
前記インターホン親機は、商用電源を整流して直流電源を生成する親機電源回路と、前記親機電源回路で生成される前記直流電源の電圧レベルを親機用に予め定められた所定の電圧レベルに可変する親機ＤＣ−ＤＣコンバータと、前記親機ＤＣ−ＤＣコンバータからの出力の発振デューティを検出する親機デューティ検出回路と、前記親機電源回路の動作をオン／オフ切換える親機制御回路とを備え、
前記親機制御回路は、前記親機デューティ検出回路で検出される前記発振デューティに対応する当該親機デューティ検出回路からの出力電圧の電圧レベルを監視し、当該電圧レベルをもとに前記親機電源回路の異常を検出したとき、前記親機電源回路の動作をオン状態からオフ状態に切換えることを特徴とするインターホンシステム。
【請求項３】
住戸外に設置され来訪者が住戸内の在室者を呼出して通話を行うインターホン子機と、前記住戸内に設置され伝送路を経由して接続された前記インターホン子機からの呼出しに前記在室者が応答して前記来訪者との間で通話を行うインターホン親機とを有するインターホンシステムであって、
前記インターホン親機は、商用電源を整流して生成される直流電源をもとに子機用電源を生成し、前記伝送路を経由して前記インターホン子機に電源供給する子機用電源供給回路を備え、
前記インターホン子機は、前記インターホン親機の前記子機用電源供給回路から前記伝送路を経由して電源供給されてくる前記子機用電源の電圧レベルを子機用に予め定められた所定の電圧レベルに可変する子機ＤＣ−ＤＣコンバータと、前記子機ＤＣ−ＤＣコンバータからの出力の発振デューティを検出する子機デューティ検出回路と、前記子機デューティ検出回路で検出される前記発振デューティに対応する当該子機デューティ検出回路からの出力電圧の電圧レベルを監視し、当該電圧レベルをもとに前記子機用電源の電圧レベルが前記伝送路の線路長に対応して所定の閾値レベル以下であると検出したとき、予め定められた所定の警報発報を行う子機制御回路とを備えることを特徴とするインターホンシステム。
【発明の詳細な説明】
【技術分野】
【０００１】
本発明はインターホンシステムに係り、特に、インターホン親機への電源供給時や、このインターホン親機から伝送路を経由して接続されたインターホン子機への電源供給時の安全性を確保することができるインターホンシステムに関する。
【背景技術】
【０００２】
従来から、この種のインターホンシステムを構成するインターホン親機に電源供給を行うにあたり、電源供給の電圧レベルを親機用に予め定められた所定の電圧レベルに可変、例えば、降圧するためには、降圧型のＤＣ−ＤＣコンバータが必要とされている（例えば、特許文献１を参照）。
【先行技術文献】
【特許文献】
【０００３】
【特許文献１】特開２００９−１５９４００号公報
【発明の概要】
【発明が解決しようとする課題】
【０００４】
しかしながら、背景技術のような降圧型のＤＣ−ＤＣコンバータを適用するにあたり、その内部構成として例えば、出力側へのラインを形成又は遮断するスイッチング素子がショート等で故障することに起因して発生する、当該コンバータの高レベルの出力を抑制する手段としては、スイッチング素子の出力側にツェナーダイオードを挿入する手段が好適とされ、降圧型のＤＣ−ＤＣコンバータに電源供給する例えば、商用電源を直流電源に整流する電源回路の異常に対しては、この電源回路に過電圧保護機能を備える必要があった。
【０００５】
また、インターホン親機から伝送路を経由して接続されたインターホン子機に電源供給を行うにあたり、電源供給の電圧レベルが伝送路の線路長に対応して所定の閾値レベル以下になると、インターホン子機で正常な動作ができず動作不良となるばかりでなく、このような動作不良を報知する効果的な手段がインターホン子機に何ら備えられていなかった。
【０００６】
本発明は、これらの難点を解消するためになされたもので、インターホン親機の構成各部に電源供給される直流電源の電圧レベルや、このインターホン親機から伝送路を経由して接続されたインターホン子機に電源供給される直流電源の電圧レベルについての異常検出及びその後の動作を制御することにより、電源供給時の安全性を確保することができるインターホンシステムを提供することを目的としている。
【課題を解決するための手段】
【０００７】
前述の目的を達成するため、本発明の第１の態様であるインターホンシステムは、住戸外に設置され来訪者が住戸内の在室者を呼出して通話を行うインターホン子機と、住戸内に設置され伝送路を経由して接続されるインターホン子機からの呼出しに在室者が応答して来訪者との間で通話を行うインターホン親機とを有する当該システムである。インターホン親機は、商用電源を整流して直流電源を生成する親機電源回路と、親機電源回路で生成される直流電源の電圧レベルを親機用に予め定められた所定の電圧レベルに可変する親機ＤＣ−ＤＣコンバータと、親機ＤＣ−ＤＣコンバータからの出力の発振デューティを検出する親機デューティ検出回路と、親機電源回路から親機ＤＣ−ＤＣコンバータへの電源供給動作をオン／オフ切換える電源供給切換回路と、電源供給切換回路を制御する親機制御回路とを備えている。親機制御回路は、親機デューティ検出回路で検出される発振デューティに対応する当該親機デューティ検出回路からの出力電圧の電圧レベルを監視し、当該電圧レベルが０Ｖになったとき、電源供給切換回路を制御して親機電源回路から親機ＤＣ−ＤＣコンバータへの電源供給動作をオン状態からオフ状態に切換えるものである。
【０００８】
この態様のインターホンシステムによれば、インターホン親機の親機ＤＣ−ＤＣコンバータにおいて、親機電源回路で生成される直流電源の電圧レベルを親機用に予め定められた所定の電圧レベルに可変するにあたり、親機ＤＣ−ＤＣコンバータで異常が発生、例えば、スイッチング素子がショートモードで故障すると、親機デューティ検出回路で検出される発振デューティに対応する当該親機デューティ検出回路からの出力電圧の電圧レベルが０Ｖになるため、これを検出した親機制御回路は、電源供給切換回路をオン状態からオフ状態に制御して親機電源回路から親機ＤＣ−ＤＣコンバータへの電源供給動作を停止することができるため、電源供給時の安全性が確保される。
【０００９】
また、本発明の第２の態様であるインターホンシステムは、住戸外に設置され来訪者が住戸内の在室者を呼出して通話を行うインターホン子機と、住戸内に設置され伝送路を経由して接続されるインターホン子機からの呼出しに在室者が応答して来訪者との間で通話を行うインターホン親機とを有する当該システムである。インターホン親機は、商用電源を整流して直流電源を生成する親機電源回路と、親機電源回路で生成される直流電源の電圧レベルを親機用に予め定められた所定の電圧レベルに可変する親機ＤＣ−ＤＣコンバータと、親機ＤＣ−ＤＣコンバータからの出力の発振デューティを検出する親機デューティ検出回路と、親機電源回路の動作をオン／オフ切換える親機制御回路とを備えている。親機制御回路は、親機デューティ検出回路で検出される発振デューティに対応する当該親機デューティ検出回路からの出力電圧の電圧レベルを監視し、当該電圧レベルをもとに親機電源回路の異常を検出したとき、親機電源回路の動作をオン状態からオフ状態に切換えるものである。
【００１０】
この態様のインターホンシステムによれば、インターホン親機の親機ＤＣ−ＤＣコンバータに電源供給を行う親機電源回路に異常が発生したとき、親機デューティ検出回路で検出される発振デューティに対応する当該親機デューティ検出回路からの出力電圧の電圧レベルが変化するため、これを検出した親機制御回路は、親機電源回路の動作を速やかにオン状態からオフ状態に切換えることができ、電源供給時の安全性が確保される。
【００１１】
また、本発明の第３の態様であるインターホンシステムは、住戸外に設置され来訪者が住戸内の在室者を呼出して通話を行うインターホン子機と、住戸内に設置され伝送路を経由して接続されたインターホン子機からの呼出しに在室者が応答して来訪者との間で通話を行うインターホン親機とを有する当該システムである。インターホン親機は、商用電源を整流して生成される直流電源をもとに子機用電源を生成し、伝送路を経由してインターホン子機に電源供給する子機用電源供給回路を備えている。インターホン子機は、インターホン親機の子機用電源供給回路から伝送路を経由して電源供給されてくる子機用電源の電圧レベルを子機用に予め定められた所定の電圧レベルに可変する子機ＤＣ−ＤＣコンバータと、子機ＤＣ−ＤＣコンバータからの出力の発振デューティを検出する子機デューティ検出回路と、子機デューティ検出回路で検出される発振デューティに対応する当該子機デューティ検出回路からの出力電圧の電圧レベルを監視し、当該電圧レベルをもとに子機用電源の電圧レベルが伝送路の線路長に対応して所定の閾値レベル以下であると検出したとき、予め定められた所定の警報発報を行う子機制御回路とを備えている。
【００１２】
この態様のインターホンシステムによれば、インターホン親機の子機用電源供給回路から伝送路を経由してインターホン子機に子機用電源を電源供給するとき、子機ＤＣ−ＤＣコンバータにおいて子機用電源の電圧レベルを子機用に予め定められた所定の電圧レベルに可変するにあたり、子機機デューティ検出回路で検出される発振デューティに対応する当該子機デューティ検出回路からの出力電圧の電圧レベルが、子機用電源の電圧レベルが伝送路の線路長に対応して所定の閾値レベル以下になるため、これを検出した子機制御回路は、予め定められた所定の警報発報を行うことができる。
【発明の効果】
【００１３】
本発明のインターホンシステムによれば、インターホン親機の構成各部に電源供給するにあたり、商用電源を整流して直流電源を生成する親機電源回路からの出力を親機用に定められた所定の電圧レベルに可変する親機ＤＣ−ＤＣコンバータに異常（故障）が発生したとき、親機ＤＣ−ＤＣコンバータからの出力の発振デューティを親機デューティ検出回路で検出させ、その発振デューティに対応した電圧レベルの出力電圧を親機制御回路に監視させることにより、親機制御回路は、自回路への出力電圧の電圧レベルをもとに親機ＤＣ−ＤＣコンバータの異常（故障）を確認し、親機電源回路から親機ＤＣ−ＤＣコンバータへの電源供給動作をオン状態からオフ状態に切換えることができ、電源供給時の安全性が確保される。
【００１４】
また、本発明のインターホンシステムによれば、インターホン親機の構成各部に電源供給するにあたり、商用電源を整流して直流電源を生成する親機電源回路に異常（故障）が発生したとき、親機ＤＣ−ＤＣコンバータからの出力の発振デューティを親機デューティ検出回路で検出させ、その発振デューティに対応した電圧レベルの出力電圧を親機制御回路に監視させることにより、親機制御回路は、自回路への出力電圧の電圧レベルをもとに親機電源回路の異常（故障）を確認し、親機電源回路の動作をオン状態からオフ状態に切換えることができ、電源供給時の安全性が確保される。
【００１５】
さらに、本発明のインターホンシステムによれば、インターホン親機の子機電源供給回路で生成される子機用電源を、伝送路を経由してインターホン子機の子機ＤＣ−ＤＣコンバータに電源供給するにあたって、子機ＤＣ−ＤＣコンバータからの出力の発振デューティを子機デューティ検出回路で検出させ、その発振デューティに対応した電圧レベルの出力電圧を子機制御回路に監視させることにより、子機制御回路は、自回路への出力電圧の電圧レベルをもとに伝送路の線路長に対応して子機用電源の電圧レベルが所定の閾値以下になったとき、この伝送路の線路長が例えば、スペックオーバーであることを確認し、予め定められた所定の警報発報を行うことができる。
【図面の簡単な説明】
【００１６】
【図１】本発明の第１、第２の実施例によるインターホンシステムを示すシステム構成図。
【図２】本発明の第１の実施例によるインターホンシステムの構成を示すブロック図。
【図３】本発明の第２の実施例によるインターホンシステムの構成を示すブロック図。
【図４】本発明の第１、第２の実施例によるインターホンシステムにおいて、インターホン子機の構成各部のうち電源供給及びその制御の該当部についての具体的な構成を示す回路ブロック図。
【図５】（Ａ）は、本発明の第１の実施例によるインターホンシステムにおいて、インターホン親機（第１のインターホン親機）の構成各部のうち電源供給及びその制御の該当部についての具体的な構成を示す回路ブロック図。（Ｂ）は、本発明の第２の実施例によるインターホンシステムにおいて、インターホン親機（第２のインターホン親機）の構成各部のうち電源供給及びその制御の該当部についての具体的な構成を示す回路ブロック図。
【発明を実施するための形態】
【００１７】
以下、本発明のインターホンシステムを適用した実施の形態例について、図面を参照して説明する。
【００１８】
図１は、本発明の第１、第２の実施例によるインターホンシステムを示すシステム構成図である。このインターホンシステムは、住戸外、例えば、住戸玄関の周囲近傍に設置され来訪者が住戸内の在室者を呼出して通話を行うインターホン子機１と、住戸内に設置されており伝送路Ｌｎを経由して接続されるインターホン子機１を使用して所定の呼出操作を行った来訪者からの呼出しに応答した在室者が通話を行うインターホン親機（以下、第１、第２のインターホン親機という）２ａ、２ｂとを有している。ここで、伝送路Ｌｎを経由して接続されたインターホン子機１及び第１のインターホン親機２ａについては、本発明の第１の実施例によるインターホンシステムを構成するものとする。一方、伝送路Ｌｎを経由して接続されたインターホン子機１及び第２のインターホン親機２ｂについては、本発明の第２の実施例によるインターホンシステムを構成するものとする。
【００１９】
次に、図１に示すインターホン子機１は、子機操作部１０、映像撮像部１１、子機マイク１２及び子機スピーカ１３を有している。ここで、子機操作部１０は、来訪者が在室者を呼出すために予め定められた所定の呼出操作を行うものであって、例えば、呼出（押圧）ボタンで構成されている。また、映像撮像部１１は、来訪者の映像や住戸玄関の周囲近傍の映像（監視映像を含む）を撮像し、予め定められた所定の信号処理により映像信号を生成するものであって、例えば、ＣＣＤ、ＣＭＯＳ等の各種の映像撮像媒体で構成されている。さらに、子機マイク１２及び子機スピーカ１３は、来訪者が在室者との間で通話を行うための音声（音声信号）を入出力するものであり、子機スピーカ１３によれば、前述の通話機能のみならず、後述する予め定められた所定の警報発報機能が備えられている。
【００２０】
次に、図１に示す第１、第２のインターホン親機２ａ、２ｂは、親機操作部２０ａ、２０ｂ、表示部２１ａ、２１ｂ、親機マイク２２ａ、２２ｂ及び親機スピーカ２３ａ、２３ｂを有している。ここで、親機操作部２０ａ、２０ｂは、来訪者からの呼出しに在室者が応答して親機マイク２２ａ、２２ｂ及び親機スピーカ２３ａ、２３ｂの使用による通話を開始させるために予め定められた所定の応答操作や、その通話を終了させるために予め定められた所定の終話操作が行われるものであって、例えば、通話（押圧）ボタンや表示部２１ａ、２１ｂの前面に配置されるタッチパネル上の操作ボタン（不図示）で構成されている。また、表示部２１ａ、２１ｂは、インターホン子機１の映像撮像部１１で生成された映像信号を表示するものであって、例えば、ＬＣＤ、有機ＥＬディスプレイ等の各種の表示媒体で構成されており、この表示部２１ａ、２１ｂとしては、来訪者からの呼出しがあることを示す例えば、文字メッセージや絵データ等を表示することもできるばかりでなく、この表示部２１ａ、２１ｂとしては、来訪者からの呼出しがあることを所定の発光色の点滅パターンや点灯パターンで表示する例えば、ＬＥＤ（不図示）を適用することもできる。さらに、親機マイク２２ａ、２２ｂ及び親機スピーカ２３ａ、２３ｂは、在室者が来訪者との間で通話を行うための音声（音声信号）を入出力するものであって、この親機スピーカ２３ａ、２３ｂとしては、来訪者からの呼出しがあることを示す例えば、呼出音や音声メッセージ等を出力することもできる。
【００２１】
次に、本発明の第１の実施例によるインターホンシステムにおいて、その具体的な構成を、図２のブロック図と図４、図５（Ａ）の回路ブロック図を参照して説明する。
【００２２】
図２に示すインターホン子機１には、前述の子機操作部１０、映像撮像部１１、子機マイク１２及び子機スピーカ１３と、子機ＤＣ−ＤＣコンバータ１４、子機デューティ検出回路１５、子機制御回路１６及び子機インターフェース回路（Ｉ／Ｆ）１７とが備えられている。
【００２３】
このインターホン子機１において、子機ＤＣ−ＤＣコンバータ１４は、第１のインターホン親機２ａの後述する子機用電源供給回路２８ａから伝送路Ｌｎを経由して電源供給されてくる子機用電源の電圧レベルを、子機用に予め定められた所定の電圧レベルに可変した後、その出力を当該子機の構成各部に電源供給するものであって、具体的には図４に示すように、ＰＮＰ型トランジスタのスイッチング素子１４０、ダイオード１４１、ＬＰＦ１４２、分圧抵抗回路１４３及び制御ＩＣ１４４を有している。ここで、スイッチング素子１４０は、制御ＩＣ１４４で決定される発振周波数で発振し、その発振（出力）デューティは、子機Ｉ／Ｆ１７を経由して電源供給される子機用電源の電圧（入力電圧）レベルと当該子機の構成各部への出力電圧の電圧レベルとの比により決定されるものであって、そのコレクタは子機Ｉ／Ｆ１７に、エミッタはＬＰＦ１４２を構成するコイルＬ10の一端側に、ベースは制御ＩＣ１４４（の出力側）に、それぞれ接続されている。また、スイッチング素子１４０のエミッタとＬＰＦ１４２を構成するコイルＬ10の一端側との間には、アノードがグランド接地されたダイオード１４１のカソードが接続されている。さらに、ＬＰＦ１４２を構成するコイルＬ10の他端側には、（−）極がグランド接地されたコンデンサＣ10の（＋）極と、分圧抵抗回路１４２を構成する直列接続された抵抗Ｒ10、Ｒ11のうち一方の抵抗Ｒ10が接続されており、これら抵抗Ｒ10、Ｒ11の間には、制御ＩＣ１４４（の入力側）が接続されている。
【００２４】
子機デューティ検出回路１５は、子機ＤＣ−ＤＣコンバータ１４からの出力の発振デューティを検出するものであって、具体的には図４に示すように、整流・平滑回路１５０及びＬＰＦ１５１を有している。ここで、整流・平滑回路１５０を構成するダイオードＤ10のアノードは、コンデンサＣ11を経由して、前述のスイッチング素子１４０のエミッタとＬＰＦ１４２を構成するコイルＬ10の一端側との間に接続されており、このダイオードＤ10のカソードは、ＬＰＦ１５１を構成する抵抗Ｒ12の一端側に接続されている。また、整流・平滑回路１５０を構成するダイオードＤ10のカソードとＬＰＦ１５１を構成する抵抗Ｒ12の一端側との間には、（−）極がグランド接地されたコンデンサＣ12の（＋）極と、他端側がグランド接地された抵抗Ｒ13の一端側とがそれぞれ接続されており、抵抗Ｒ12の他端側と子機制御回路１６（の入力側）との間には、（−）極がグランド接地されたコンデンサＣ13の（＋）極が接続されている。
【００２５】
子機制御回路１６は、当該子機の構成各部を制御するものである。その一例として、子機制御回路１６は、子機デューティ検出回路１５で検出される発振デューティに対応する当該子機デューティ検出回路からの出力電圧の電圧レベルを監視し、当該電圧レベルをもとに子機用電源の電圧レベルが伝送路Ｌｎの線路長に対応して所定の閾値レベル以下であると検出したとき、予め定められた所定の警報発報として例えば、子機スピーカ１３から警報音や音声メッセージを出力することができる。
【００２６】
子機Ｉ／Ｆ１７は、映像撮像部１１から伝送路Ｌｎへの信号伝送ライン、子機マイク１２から伝送路Ｌｎ間への信号伝送ライン、伝送路Ｌｎから子機スピーカＬｎへの信号伝送ライン、伝送路Ｌｎから子機ＤＣ−ＤＣコンバータ１４への電源供給ライン、子機制御回路１６及び伝送路Ｌｎ間の信号伝送ライン、をそれぞれ形成するものである。
【００２７】
次に、図２に示す第１のインターホン親機２ａには、前述の親機操作部２０ａ、表示部２１ａ、親機マイク２２ａ及び親機スピーカ２３ａと、親機電源回路２４ａ、親機ＤＣ−ＤＣコンバータ２５ａ、親機デューティ検出回路２６ａ、電源供給切換回路２７ａ、子機用電源供給回路２８ａ、親機制御回路２９ａ及び親機インターフェース回路（Ｉ／Ｆ）３０ａとが備えられている。
【００２８】
このインターホン親機２ａにおいて、親機電源回路２４ａは、例えば、ＡＣ１００Ｖの商用電源を整流して例えば、ＤＣ１８Ｖの直流電源を生成するものである。
【００２９】
親機ＤＣ−ＤＣコンバータ２５ａは、親機電源回路２４ａで生成される直流電源の電圧レベルを親機用に予め定められた所定の電圧レベルに可変した後、その出力を当該親機の構成各部に電源供給するものであって、具体的には図５（Ａ）に示すように、ＰＮＰ型トランジスタのスイッチング素子２５０ａ、ダイオード２５１ａ、ＬＰＦ２５２ａ、分圧抵抗回路２５３ａ及び制御ＩＣ２５４ａを有している。ここで、スイッチング素子２５０ａは、制御ＩＣ２５４ａで決定される発振周波数で発振し、その発振（出力）デューティは、親機電源回路２４ａからオン状態の電源供給切換回路２７ａを経由して電源供給される親機用電源の電圧（入力電圧）レベルと当該親機の構成各部への出力電圧の電圧レベルとの比により決定されるものであって、そのコレクタは電源供給切換回路２７ａ（の出力端子側）に、エミッタはＬＰＦ２５２ａを構成するコイルＬ20の一端側に、ベースは制御ＩＣ２５４ａ（の出力側）に、それぞれ接続されている。また、スイッチング素子２５０ａのエミッタとＬＰＦ２５２ａを構成するコイルＬ20の一端側との間には、アノードがグランド接地されたダイオード２５１ａのカソードが接続されている。さらに、ＬＰＦ２５２ａを構成するコイルＬ20の他端側には、（−）極がグランド接地されたコンデンサＣ20の（＋）極と、分圧抵抗回路２５３ａを構成する直列接続された抵抗Ｒ20、Ｒ21のうち一方の抵抗Ｒ20が接続されており、これら抵抗Ｒ20、Ｒ21の間には、制御ＩＣ２５４ａ（の入力側）が接続されている。
【００３０】
親機デューティ検出回路２６ａは、親機ＤＣ−ＤＣコンバータ２５ａからの出力の発振デューティを検出するものであって、具体的には図５（Ａ）に示すように、整流・平滑回路２６０ａ及びＬＰＦ２６１ａを有している。ここで、整流・平滑回路２６０ａを構成するダイオードＤ20のアノードは、コンデンサＣ21を経由して、前述のスイッチング素子２５０ａのエミッタとＬＰＦ２５２ａを構成するコイルＬ20の一端側との間に接続されており、このダイオードＤ20のカソードは、ＬＰＦ２６１ａを構成する抵抗Ｒ22の一端側に接続されている。また、整流・平滑回路２６０ａを構成するダイオードＤ20のカソードとＬＰＦ２６１ａを構成する抵抗Ｒ22の一端側との間には、（−）極がグランド接地されたコンデンサＣ22の（＋）極と、他端側がグランド接地された抵抗Ｒ23の一端側とがそれぞれ接続されており、抵抗Ｒ22の他端側と親機制御回路２９ａ（の入力側）との間には、（−）極がグランド接地されたコンデンサＣ23の（＋）極が接続されている。
【００３１】
電源供給切換回路２７ａは、親機制御回路２９ａにより制御され、親機電源回路２４ａから親機ＤＣ−ＤＣコンバータ２５ａへの電源供給動作をオン／オフ切換えるものである。また、子機用電源供給回路２８ａは、親機ＤＣ−ＤＣコンバータ２５ａからの出力電圧をもとに、伝送路Ｌｎを経由して接続されたインターホン子機１に電源供給するための子機用電源を生成するものである。
【００３２】
親機制御回路２９ａは、当該親機の構成各部を制御するものである。その一例として、親機制御回路２９ａは、親機デューティ検出回路２６ａで検出される発振デューティに対応する当該親機デューティ検出回路からの出力電圧の電圧レベルを監視し、当該電圧レベルが０Ｖになったとき、電源供給切換回路２７ａを制御して親機電源回路２４ａから親機ＤＣ−ＤＣコンバータ２５ａへの電源供給動作をオン状態からオフ状態に切換えることができる。
【００３３】
親機Ｉ／Ｆ３０ａは、伝送路Ｌｎから表示部２１ａへの信号伝送ライン、親機マイク２２ａから伝送路Ｌｎへの信号伝送ライン、伝送路Ｌｎから親機スピーカ２３ａへの信号伝送ライン、子機用電源供給回路２８ａから伝送路Ｌｎへの電源供給ライン、親機制御回路２９ａ及び伝送路Ｌｎ間の信号伝送ライン、をそれぞれ形成するものである。
【００３４】
このように構成された本発明の第１の実施例によるインターホンシステムにおいて、以下、具体的な動作について説明する。なお、第１の実施例において、住戸外に居る来訪者が住戸内の在室者を呼出して通話を行う動作は、所謂、インターホン呼出し・通話が可能な各種の公知とされるシステムの該当動作と同様であるため、その説明は省略するものとする。
【００３５】
図２、図５（Ａ）に示す第１のインターホン親機２ａにおいて、親機電源回路２４ａは、例えば、ＡＣ１００Ｖの商用電源を整流して得られる例えば、ＤＣ１８Ｖの直流電源である親機用電源を生成し、オン状態の電源供給切換回路２７ａを経由して親機ＤＣ−ＤＣコンバータ２５ａのスイッチング素子２５０ａのコレクタに印加する。ここで、スイッチング素子２５０ａは、コレクタに印加された入力電圧の電圧レベルと、このスイッチング素子２５０ａからダイオード２５１ａ、ＬＰＦ２５２ａを経由し、分圧抵抗回路２５３ａを構成する抵抗Ｒ20、Ｒ21でその電圧レベルが分圧された親機用電源の電圧レベル、すなわち、降圧されて当該親機の構成各部に電源供給される直流電源の電圧レベルとの比をもとに、分圧抵抗回路２５３ａからの出力を検出した制御ＩＣ２５４ａで決定される発振周波数で発振し、その発振デューティは、親機デューティ検出回路２６ａで検出することができる。
【００３６】
また、親機デューティ検出回路２６ａは、整流・平滑回路２６０ａ及びＬＰＦ２６１ａで構成されているため、自回路で検出する発振デューティに比例した電圧レベルの出力電圧を生成し、親機制御回路２９ａに送出することができる。具体的に、親機デューティ検出回路２６ａによれば、その動作として、親機電源回路２４ａからオン状態の電源供給切換回路２７ａを経由して親機ＤＣ−ＤＣコンバータ２５ａに電源供給される親機用電源の電圧（入力電圧）レベルが低くなると発振デューティが広がり、親機制御回路２９ａへの出力電圧の電圧レベルは高くなる一方、同様な親機用電源の電圧（入力電圧）レベルが高くなると発振デューティが狭くなり、親機制御回路２９ａへの出力電圧の電圧レベルは低くなる。
【００３７】
そこで、親機ＤＣ−ＤＣコンバータ２５ａのスイッチング素子２５０ａが例えば、ショートモードで故障すると、当該スイッチング素子の発振動作が停止することにより、親機電源回路２４ａからオン状態の電源供給切換回路２７ａを経由して電源供給された親機用電源の電圧（入力電圧）がそのままの電圧レベルで親機デューティ検出回路２６ａに電源供給されるため、親機制御回路２９ａへの出力電圧の電圧レベルは最大値となる。このような電圧レベルを検出した親機制御回路２９ａによれば、スイッチング素子２５０ａの発振動作が停止したことを確認し、オン状態の電源供給切換回路２７ａを速やかにオフ状態に制御することにより、親機電源回路２４ａから親機ＤＣ−ＤＣコンバータ２５ａへの電源供給動作を停止することができるため、電源供給時の安全性が確保される。
【００３８】
次に、前述のような、第１のインターホン親機２ａの親機ＤＣ−ＤＣコンバータ２５ａからの出力電圧をもとに当該親機の構成各部に電源供給されているとき、子機用電源供給回路２８ａは、インターホン子機１に電源供給するための子機用電源を生成し、この子機用電源を、親機Ｉ／Ｆ３０ａ、伝送路Ｌｎ、インターホン子機１の子機Ｉ／Ｆ１７を経由して、図４に示す子機ＤＣ−ＤＣコンバータ１４のスイッチング素子１４０のコレクタに印加する。ここで、スイッチング素子１４０は、コレクタに印加された入力電圧の電圧レベルと、このスイッチング素子１４０からダイオード１４１、ＬＰＦ１４２を経由し、分圧抵抗回１４３を構成する抵抗Ｒ10、Ｒ11でその電圧レベルが分圧された子機用電源の電圧レベル、すなわち、降圧されて当該子機の構成各部に電源供給される直流電源の電圧レベルとの比をもとに、分圧抵抗回路１４３からの出力を検出した制御ＩＣ１４４で決定される発振周波数で発振し、その発振デューティは、子機デューティ検出回路１５で検出することができる。
【００３９】
また、子機デューティ検出回路１５は、整流・平滑回路１５０及びＬＰＦ１５１で構成されているため、自回路で検出する発振デューティに比例した電圧レベルの出力電圧を生成し、子機制御回路１６に送出することができる。具体的に、子機デューティ検出回路１５によれば、その動作として、子機ＤＣ−ＤＣコンバータ１４に電源供給される子機用電源の電圧（入力電圧）レベルが低くなると発振デューティが広がり、子機制御回路１６への出力電圧の電圧レベルは高くなる一方、同様な子機用電源の電圧（入力電圧）レベルが高くなると発振デューティが狭くなり、子機制御回路１６への出力電圧の電圧レベルは低くなる。
【００４０】
そこで、インターホン子機１と第１のインターホン親機２ａを接続する伝送路Ｌｎの線路長がスペックオーバー、例えば、子機用電源の電圧レベルを十分に確保できないほどの長さであると、子機ＤＣ−ＤＣコンバータ２５ａに電源供給される子機用電源の電圧レベルは、伝送路Ｌｎの線路長に対応して所定の閾値レベル以下となるため、これに対応して子機デューティ検出回路１５から子機制御回路１６への出力電圧の電圧レベルも低くなる。このような電圧レベルを検出した子機制御回路１６によれば、伝送路Ｌｎの線路長がスペックオーバーであることを確認し、その旨に予め定められ所定の警報発報として例えば、子機スピーカ１３から警報音や音声メッセージ等を出力させることにより、当該システムの施工者等に対して速やかに伝えることができる。
【００４１】
次に、本発明の第２の実施例によるインターホンシステムにおいて、その具体的な構成を、図３のブロック図と図４、図５（Ｂ）の回路ブロック図を参照して説明する。なお、同実施例において適用されるインターホン子機１の具体的な構成については、前述の第１の実施例と同様な構成であるため、その説明は省略するものとする。
【００４２】
図３に示す第２のインターホン親機２ｂには、前述の親機操作部２０ｂ、表示部２１ｂ、親機マイク２２ｂ及び親機スピーカ２３ｂと、親機電源回路２４ｂ、親機ＤＣ−ＤＣコンバータ２５ｂ、親機デューティ検出回路２６ｂ、子機用電源供給回路２８ｂ、親機制御回路２９ｂ及び親機インターフェース回路（Ｉ／Ｆ）３０ｂとが備えられている。
【００４３】
このインターホン親機２ｂにおいて、親機電源回路２４ｂは、例えば、ＡＣ１００Ｖの商用電源を整流して例えば、ＤＣ１８Ｖの直流電源を生成するものである。
【００４４】
親機ＤＣ−ＤＣコンバータ２５ｂは、親機電源回路２４ｂで生成される直流電源の電圧レベルを親機用に予め定められた所定の電圧レベルに可変した後、その出力を当該親機の構成各部に電源供給するものであって、具体的には図５（Ｂ）に示すように、ＰＮＰ型トランジスタのスイッチング素子２５０ｂ、ダイオード２５１ｂ、ＬＰＦ２５２ｂ、分圧抵抗回路２５３ｂ及び制御ＩＣ２５４ｂを有している。ここで、スイッチング素子２５０ｂは、制御ＩＣ２５４ｂで決定される発振周波数で発振し、その発振（出力）デューティは、親機電源回路２４ｂから電源供給される親機用電源の電圧（入力電圧）レベルと当該親機の構成各部への出力電圧の電圧レベルとの比により決定されるものであって、そのコレクタは親機電源回路２４ｂ（の給電側）に、エミッタはＬＰＦ２５２ｂを構成するコイルＬ20の一端側に、ベースは制御ＩＣ２５４ｂ（の出力側）に、それぞれ接続されている。また、スイッチング素子２５０ｂのエミッタとＬＰＦ２５２ｂを構成するコイルＬ20の一端側との間には、アノードがグランド接地されたダイオード２５１ｂのカソードが接続されている。さらに、ＬＰＦ２５２ｂを構成するコイルＬ20の他端側には、（−）極がグランド接地されたコンデンサＣ20の（＋）極と、分圧抵抗回路２５３ｂを構成する直列接続された抵抗Ｒ20、Ｒ21のうち一方の抵抗Ｒ20が接続されており、これら抵抗Ｒ20、Ｒ21の間には、制御ＩＣ２５４ｂ（の入力側）が接続されている。
【００４５】
親機デューティ検出回路２６ｂは、親機ＤＣ−ＤＣコンバータ２５ｂからの出力の発振デューティを検出するものであって、具体的には図５（Ｂ）に示すように、整流・平滑回路２６０ｂ及びＬＰＦ２６１ｂを有している。ここで、整流・平滑回路２６０ｂを構成するダイオードＤ20のアノードは、コンデンサＣ21を経由して、前述のスイッチング素子２５０ｂのエミッタとＬＰＦ２５２ｂを構成するコイルＬ20の一端側との間に接続されており、このダイオードＤ20のカソードは、ＬＰＦ２６１ｂを構成する抵抗Ｒ22の一端側に接続されている。また、整流・平滑回路２６０ｂを構成するダイオードＤ20のカソードとＬＰＦ２６１ｂを構成する抵抗Ｒ22の一端側との間には、（−）極がグランド接地されたコンデンサＣ22の（＋）極と、他端側がグランド接地された抵抗Ｒ23の一端側とがそれぞれ接続されており、抵抗Ｒ22の他端側と親機制御回路２９ａ（の入力側）との間には、（−）極がグランド接地されたコンデンサＣ23の（＋）極が接続されている。
【００４６】
子機用電源供給回路２８ｂは、親機ＤＣ−ＤＣコンバータ２５ｂからの出力電圧をもとに、伝送路Ｌｎを経由して接続されたインターホン子機１に電源供給するための子機用電源を生成するものである。
【００４７】
親機制御回路２９ｂは、当該親機の構成各部を制御するものである。その一例として、親機制御回路２９ｂは、親機デューティ検出回路２６ｂで検出される発振デューティに対応する当該親機デューティ検出回路からの出力電圧の電圧レベルを監視し、当該電圧レベルをもとに親機電源回路２４ｂの異常を検出したとき、親機電源回路２４ｂの動作をオン状態からオフ状態に切換えることができる。
【００４８】
親機Ｉ／Ｆ３０ｂは、伝送路Ｌｎから表示部２１ｂへの信号伝送ライン、親機マイク２２ｂから伝送路Ｌｎへの信号伝送ライン、伝送路Ｌｎから親機スピーカ２３ｂへの信号伝送ライン、子機用電源供給回路２８ｂから伝送路Ｌｎへの電源供給ライン、親機制御回路２９ｂ及び伝送路Ｌｎ間の信号伝送ライン、をそれぞれ形成するものである。
【００４９】
このように構成された本発明の第２の実施例によるインターホンシステムにおいて、以下、具体的な動作について説明する。なお、第２の実施例よれば、前述の第１の実施例と同様、住戸外に居る来訪者が住戸内の在室者を呼出して通話を行う動作は、所謂、インターホン呼出し・通話が可能な各種の公知とされるシステムの該当動作と同様であるため、その説明は省略するものとする。
【００５０】
図３、図５（Ｂ）に示す第２のインターホン親機２ｂにおいて、親機電源回路２４ｂは、例えば、ＡＣ１００Ｖの商用電源を整流して得られる例えば、ＤＣ１８Ｖの直流電源である親機用電源を生成し、親機ＤＣ−ＤＣコンバータ２５ｂのスイッチング素子２５０ｂのコレクタに印加する。ここで、スイッチング素子２５０ｂは、コレクタに印加された入力電圧の電圧レベルと、このスイッチング素子２５０ｂからダイオード２５１ｂ、ＬＰＦ２５２ｂを経由し、分圧抵抗回路２５３ｂを構成する抵抗Ｒ20、Ｒ21でその電圧レベルが分圧された親機用電源の電圧レベル、すなわち、降圧されて当該親機の構成各部に電源供給される直流電源の電圧レベルとの比をもとに、分圧抵抗回路２５３ｂからの出力を検出した制御ＩＣ２５４ｂで決定される発振周波数で発振し、その発振デューティは、親機デューティ検出回路２６ｂで検出することができる。
【００５１】
また、親機デューティ検出回路２６ｂは、整流・平滑回路２６０ｂ及びＬＰＦ２６１ｂで構成されているため、自回路で検出する発振デューティに比例した電圧レベルの出力電圧を生成し、親機制御回路２９ｂに送出することができる。具体的に、親機デューティ検出回路２６ｂによれば、その動作として、親機電源回路２４ｂから親機ＤＣ−ＤＣコンバータ２５ｂに電源供給される親機用電源の電圧（入力電圧）レベルが低くなると発振デューティが広がり、親機制御回路２９ｂへの出力電圧の電圧レベルは高くなる一方、同様な親機用電源の電圧（入力電圧）レベルが高くなると発振デューティが狭くなり、親機制御回路２９ｂへの出力電圧の電圧レベルは低くなる。
【００５２】
そこで、親機電源回路２４ｂが例えば、故障により異常が発生すると、親機ＤＣ−ＤＣコンバータ２５ｂに電源供給される親機用電源の電圧（入力電圧）レベルが、予め定められた閾値とされる正常値から外れて非常に高いレベル又は非常に低いレベルになり、親機電源回路２４ｂａから電源供給された非常に高いレベル又は非常に低いレベルの親機用電源の電圧（入力電圧）がそのままの電圧レベルで親機デューティ検出回路２６ｂに電源供給されるため、これに対応して親機制御回路２９ａへの出力電圧の電圧レベルも変動する。このような非常に高い電圧レベル又は非常に低い電圧レベルを検出した親機制御回路２９ｂによれば、親機電源回路２４ｂの異常を検出して、その動作を速やかにオン状態からオフ状態に切換えることができるため、電源供給時の安全性が確保される。
【００５３】
なお、前述のような第２のインターホン親機２ｂの親機ＤＣ−ＤＣコンバータ２５ｂからの出力電圧をもとに当該親機の構成各部に電源供給されているときの動作として、子機用電源供給回路２８ｂで生成される子機用電源を、親機Ｉ／Ｆ３０ｂ、伝送路Ｌｎを経由してインターホン子機１に電源供給するにあたり、この伝送路Ｌｎの線路長がスペックオーバー、例えば、子機用電源の電圧レベルを十分に確保できないほどの長さである場合の警報発報を行うまでの動作は、前述の第１の実施例と同様な動作であるため、その説明は省略するものとする。
【００５４】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５５】
具体的に、本発明の第１、第２の実施例によれば、当該親機の子機用電源供給回路で生成される子機用電源を、伝送路Ｌｎを経由して接続されたインターホン子機１に電源供給し、この伝送路Ｌｎの線路長がスペックオーバー、例えば、子機用電源の電圧レベルを十分に確保できないほどの長さである場合の警報発報を行うまでの動作を説明するにあたって、図２、図５（Ａ）に示す構成の第１のインターホン親機２ａ、図３、図５（Ｂ）に示す構成の第２のインターホン親機２ｂをそれぞれ適用したが、これらの構成に限定されるものではない。例えば、子機電源供給回路を少なくとも備えている限り、多種・多様な構成の当該親機を適用することもできる。
【符号の説明】
【００５６】
１・・・インターホン子機
１４・・・子機ＤＣ−ＤＣコンバータ
１５・・・子機デューティ検出回路
１６・・・子機制御回路
２ａ・・・第１のインターホン親機
２４ａ・・・親機電源回路
２５ａ・・・親機ＤＣ−ＤＣコンバータ
２６ａ・・・親機デューティ検出回路
２７ａ・・・電源供給切換回路
２８ａ・・・子機用電源供給回路
２９ａ・・・親機制御回路
２ｂ・・・第２のインターホン親機
２４ｂ・・・親機電源回路
２５ｂ・・・親機ＤＣ−ＤＣコンバータ
２７ｂ・・・親機デューティ検出回路
２８ｂ・・・子機用電源供給回路
２９ｂ・・・親機制御回路
Ｌｎ・・・伝送路
【図１】
2015162773.tif 000003
【図２】
2015162773.tif 000004
【図３】
2015162773.tif 000005
【図４】
2015162773.tif 000006
【図５】
2015162773.tif 000007